(57)【特許請求の範囲】
【請求項１】
照明装置（Ａ）であって、
少なくとも１つの面光源（Ｋ）と光学的アセンブリ（Ｅ）と、を備え、
該光学的アセンブリによって少なくとも１つの面光源（Ｋ）から放射された光（Ｂ２）が少なくとも１つの光分布（Ｎ）の形で結像可能であり、
前記光学的アセンブリ（Ｅ）は、長手軸（ｘ）を基準にして軸方向に前後して少なくとも１つの第１と第２の光学的構成エレメント（Ｌ１，Ｌ２）を含み、それらの位置は軸方向に調節可能であり、
光学的構成エレメント（Ｌ１，Ｌ２）の調節装置（Ｃ）が長手軸（ｘ）を中心に回転可能な第１の調節リング（Ｇ１）を備え、該調節リングは取付部材（Ｊ１）に運動変換接続部を介して接続されており、該運動変換接続部は、前記取付部材（Ｊ１）に対する第１の調節リング（Ｇ１）の回転を軸方向のスライドに変換し、
第１の光学的構成エレメント（Ｌ１）のホルダ（Ｈ１）は、スプリング（Ｉ１）によって第１の調節リング（Ｇ１）に対して軸方向に保持され、かつ前記取付部材（Ｊ１）に対して軸方向に調節可能であり、
第２の光学的構成エレメント（Ｌ２）は、取付部材（Ｊ１）に対して軸方向に固定されたホルダ（Ｈ２）内に保持されている、
ことを特徴とする照明装置。
【請求項２】
請求項１に記載の照明装置（Ａ）において、
さらに調節装置は、長手軸（ｘ）を中心に回転可能な第２の調節リング（Ｇ２）を有し、該第２の調節リングは支持部材（Ｊ２）と運動変換接続部を介して接続されており、該運動変換接続部は、支持部材（Ｊ２）に対する第２の調節リング（Ｇ２）の回転を軸方向のスライドに変換し、
第２の光学的構成エレメント（Ｌ２）のホルダ（Ｈ２）は、スプリング（Ｉ２）によって第２の調節リング（Ｇ２）に対して保持されており、かつ前記支持部材（Ｊ２）に対して軸方向に調節可能である、
ことを特徴とする照明装置。
【請求項３】
請求項２に記載の照明装置（Ａ）において、
第２の調節リング（Ｇ２）は、ネジを有し、該ネジは支持部材（Ｊ２）の相手方ネジと共同作用し、前記第２の調節リング（Ｇ２）はさらにストッパ面（Ｆ２）を有し、該ストッパ面に対して前記第２の光学的構成エレメント（Ｌ２）のホルダ（Ｈ２）が軸方向に支承されている、
ことを特徴とする照明装置。
【請求項４】
請求項２または３に記載の照明装置（Ａ）において、
前記支持部材（Ｊ２）は第１の調節リング（Ｇ１）をスリーブ状に取り囲み、かつ少なくとも１つの窓（Ｏ）を有しており、該窓を通して調節リング（Ｇ１）には外部からアクセスできる、
ことを特徴とする照明装置。
【請求項５】
請求項１から４のいずれか一項に記載の照明装置（Ａ）において、
前記第１の調節リング（Ｇ１）はネジを有し、該ネジは取付部材（Ｊ１）の相手方ネジと共同作用し、前記第１の調節リング（Ｇ１）はさらにストッパ面（Ｆ１）を有し、該ストッパ面に対して前記第１の光学的構成エレメント（Ｌ１）のホルダ（Ｈ１）は軸方向に支承されている、
ことを特徴とする照明装置。
【請求項６】
請求項１から５のいずれか一項に記載の照明装置（Ａ）において、
前記第２の光学的構成エレメント（Ｌ２）のホルダ（Ｈ２）は、前記取付部材（Ｊ１）と一体的である、
ことを特徴とする照明装置。
【請求項７】
請求項１から６のいずれか一項に記載の照明装置（Ａ）において、
前記第２の光学的構成エレメント（Ｌ２）のホルダ（Ｈ２）は、前記取付部材（Ｊ１）と回転連結部によって接続されており、該回転連結部は、少なくとも長手軸（ｘ）に沿った当該ホルダ（Ｈ２）と取付部材（Ｊ１）との間の相対運動を阻止する、
ことを特徴とする照明装置。
【請求項８】
請求項１から７のいずれか一項に記載の照明装置（Ａ）において、
前記第２の光学的構成エレメント（Ｌ２）のホルダ（Ｈ２）および／または前記取付部材（Ｊ１）は、２つの光学的構成エレメント（Ｌ１，Ｌ２）の間の光伝搬の空間をスリーブ状に取り囲む、
ことを特徴とする照明装置。
【請求項９】
請求項１から８のいずれか一項に記載の照明装置（Ａ）において、
前記光学的構成エレメント（Ｌ１，Ｌ２）の少なくとも１つの光学的構成エレメントは、光学レンズとして構成されている、ことを特徴とする照明装置。
【請求項１０】
請求項１から９のいずれか一項に記載の照明装置（Ａ）において、
当該照明装置はさらに、
・レーザ励起光（Ｂ１）を形成するための少なくとも１つのレーザ光源（Ｄ）と、
・少なくとも１つのレーザ光源（Ｄ）により形成されたレーザ励起光（Ｂ１）を少なくとも１つの面光源（Ｋ）に指向するように構成された少なくとも１つの光線偏向装置（Ｍ）と、
を含み、
前記少なくとも１つの面光源（Ｋ）は変換エレメントとして構成されており、該変換エレメントは、レーザ励起光（Ｂ１）による照射の際に光（Ｂ２）の方向に発光する、
ことを特徴とする照明装置。
【請求項１１】
請求項１から１０のいずれか一項に記載の照明装置（Ａ）を１つまたは複数備える自動車前照灯。
【発明の詳細な説明】
【技術分野】
【０００１】
本発明は、とりわけ自動車用の照明装置に関するものであり、少なくとも１つの面光源と光学的アセンブリとを備え、該光学的アセンブリによって少なくとも１つの面光源から放射された光が少なくとも１つの光分布の形で結像可能である。ここで前記光学的アセンブリは、長手軸を基準にして軸方向に前後して少なくとも１つの第１と第２の光学的構成エレメント、例えば軸方向に調節（移動）可能な２つのレンズを含み、これらの位置は軸方向に調節（移動）可能である。
【背景技術】
【０００２】
本開示の枠内で光学的構成エレメントとは、光集束および拡散特性を備える光学的コンポーネント、およびより詳細には成形リフレクタ（Formreflektor）（例えば中空ミラーまたは集光ミラー）または光学レンズを意味し、これらコンポーネントの組み合わせも含むことができる。長手軸とは、これに沿って光学的構成エレメントが配置されている軸であると理解される。多くの場合、光伝播の主方向と光軸はこの長手軸と一致する。
【０００３】
自動車において、特に自動車の前照灯のためにレーザ光線を使用することは、現在、重要性が増している。なぜならレーザダイオードは柔軟性のある効率的な解決策を可能にするからであり、これにより光束の光密度も光収率も格段に向上することができる。
【０００４】
しかしながら公知の解決策ではレーザ光線が照明装置ないし前照灯から直接的に放射されない。これは、人間および他の生物の眼が、高度に収束された高出力のレーザ光線により危険に曝されるのを回避するためである。むしろレーザ光線は、中間接続された変換エレメントに指向される。この変換エレメントは、ルミネセンス変換のための物質、短く「蛍光体」と称されるものを含んでおり、例えば青色領域の波長のレーザ光を可視光、好ましくは白色光に変換する。そしてこの可視光が外に向けて偏向される。本発明の枠内で「蛍光体」はまったく一般的に、１つの波長の光を別の波長の光または混合波長の光、とりわけ「白色」光に変換する物質または混合物質であると理解される。このことは概念「波長変換」の下でも包摂することができる。変換エレメントに対してはオプトセラミックも使用することができる。これは例えばＹＡＧ−Ｃｅ（セリウムがドープされたイットリウム・アルミニウム・ガーネット）のような透明なセラミックである。このようにしてレーザ光線によって平坦な変換エレメント上に光像が形成され、この光像は光学的アセンブリ、例えば反射器および／または好ましくはレンズを備える結像光学系により光分布として道路の走行路上に投影される。
【発明の概要】
【発明が解決しようとする課題】
【０００５】
光源は、このようなシステムでは点光源ではなく、平坦な光源であり、その形態は自由に選択可能である。これに対応して光学的アセンブリは、平坦な光源から放射された光が少なくとも１つの光分布の形で結像されるように構成されている。ここでは、変換エレメント上に形成される光像が道路／走行路上に可及的に鮮明に結像されることが望まれ、これによってこのように投影された光像の最適の作用を達成することができる。しかし光学的構成エレメント、所属のフレーム（ホルダ）およびとりわけ蛍光体の位置の偏差と公差により、光分布が十分に鮮明に表示されないことがしばしば生じる。
【０００６】
したがって本発明の目的は、結像光学系のコンポーネントを正確かつ同時に複雑性なしで調節することを可能にすることである。とりわけ２つのレンズ（または一般的に２つの光学的構成エレメント）を備える結像システムでは、レンズを、蛍光体に関連してだけではなく、互いにも正確に調節することができることが望まれる。
【課題を解決するための手段】
【０００７】
この課題は、冒頭に述べた形式の照明装置により、光学的構成エレメントの調節装置によって解決される。この調節装置は、長手軸を中心に回転可能な第１の調節リングを備え、この調節リングは取付部材に運動変換接続部を介して接続されており、この運動変換接続部は、取付部材に対する第１の調節リングの回転を軸方向のスライドに変換する。ここでは第１の光学的構成エレメントのホルダが、スプリングによって第１の調節リングに対して軸方向に保持されており、かつ取付部材に対して軸方向に調節可能であり、第２の光学的構成エレメントは、取付部材に対して軸方向に固定されたホルダ内に保持されている。好ましくは光学的構成エレメントの全てまたは少なくとも１つは、光学レンズとして構成することができる。
本発明では以下の形態が可能である。
（形態１）とりわけ自動車用の照明装置であって、少なくとも１つの面光源と光学的アセンブリと、を備え、該光学的アセンブリによって少なくとも１つの面光源から放射された光が少なくとも１つの光分布の形で結像可能であり、前記光学的アセンブリは、長手軸を基準にして軸方向に前後して少なくとも１つの第１と第２の光学的構成エレメントを含み、それらの位置は軸方向に調節可能であり、光学的構成エレメントの調節装置が長手軸を中心に回転可能な第１の調節リングを備え、該調節リングは取付部材に運動変換接続部を介して接続されており、該運動変換接続部は、前記取付部材に対する第１の調節リングの回転を軸方向のスライドに変換し、第１の光学的構成エレメントのホルダは、スプリングによって第１の調節リングに対して軸方向に保持され、かつ前記取付部材に対して軸方向に調節可能であり、第２の光学的構成エレメントは、取付部材に対して軸方向に固定されたホルダ内に保持されている照明装置が提供される。
（形態２）さらに調節装置は、長手軸を中心に回転可能な第２の調節リングを有し、該第２の調節リングは支持部材と運動変換接続部を介して接続されており、該運動変換接続部は、支持部材に対する第２の調節リングの回転を軸方向のスライドに変換し、第２の光学的構成エレメントのホルダは、スプリングによって第２の調節リングに対して保持されており、かつ前記支持部材に対して軸方向に調節可能であることが好ましい。
（形態３）第２の調節リングは、ネジ、好ましくは内ネジを有し、該ネジは支持部材の相手方ネジと共同作用し、前記第２の調節リングはさらに、好ましくはリング状の端面として構成されたストッパ面を有し、該ストッパ面に対して前記第２の光学的構成エレメントのホルダが軸方向に支承されていることが好ましい。
（形態４）前記支持部材は第１の調節リングをスリーブ状に取り囲み、かつ少なくとも１つの窓を有しており、該窓を通して調節リングには外部からアクセスできることが好ましい。
（形態５）前記第１の調節リングはネジ、好ましくは内ネジを有し、該ネジは取付部材の相手方ネジと共同作用し、前記第１の調節リングはさらに、好ましくはリング状の端面として構成されたストッパ面を有し、該ストッパ面に対して前記第１の光学的構成エレメントのホルダは軸方向に支承されていることが好ましい。
（形態６）前記第２の光学的構成エレメントのホルダは、前記取付部材と一体的であることが好ましい。
（形態７）前記第２の光学的構成エレメントのホルダは、前記取付部材と回転連結部によって接続されており、該回転連結部は、少なくとも長手軸に沿った当該ホルダと取付部材との間の相対運動を阻止することが好ましい。
（形態８）前記第２の光学的構成エレメントのホルダおよび／または前記取付部材は、２つの光学的構成エレメントの間の光伝搬の空間をスリーブ状に取り囲むことが好ましい。
（形態９）前記光学的構成エレメントの少なくとも１つ、好ましくは全ての光学的構成エレメントは、光学レンズとして構成されていることが好ましい。
（形態１０）当該照明装置はさらに、レーザ励起光を形成するための少なくとも１つのレーザ光源と、少なくとも１つのレーザ光源により形成されたレーザ励起光を少なくとも１つの面光源に指向するように構成された少なくとも１つの光線偏向装置と、を含み、前記少なくとも１つの面光源は変換エレメントとして構成されており、該変換エレメントは、レーザ励起光による照射の際に光の方向に、好ましくは可視波長領域で、発光することが好ましい。
（形態１１）形態１から１０のいずれか一に記載の照明装置を１つまたは複数備える自動車前照灯が提供される。
なお、特許請求の範囲に付記した図面参照番号はもっぱら理解を助けるためであり、図示の態様に限定することを意図するものではない。
【発明を実施するための形態】
【０００８】
この解決策により、第１の調節リングと取付部材との間の運動変換接続部は、第１の調節リングの回転運動を、第２の光学的構成エレメント（第２のレンズ）に対する第１の光学的構成エレメント（第１のレンズ）の、長手軸に沿った位置変化に変換する。このことにより本発明の前記目的が簡単かつ効率的に得られる。これにより光技術的に非常に重要であるが偏差に対して鋭敏な、蛍光体に対する結像光学系の配向を簡単かつ迅速に調節ないし補正することができる。本発明は、光像の迅速、簡単かつ正確な集束を可能にし、後から調節することのできる変換器モジュールにおける光学コンポーネントの取り付けを可能にする。本発明は、レーザ光モジュールの全ての適用（ロービーム、ハイビーム等）において使用することができ、複数のレーザ光源が使用されるモジュールに対しても適する。
【０００９】
第１の調節リングにおける簡単かつ有利な調節の構成では、例えば第１の調節リングがネジ、好ましくは内ネジを有し、このネジは取付部材の相手方ネジと共同作用し、第１の調節リングはさらに、好ましくはリング状の端面として構成されたストッパ面を有し、このストッパ面に対して第１の光学的構成エレメントのホルダが軸方向に支承されている。
【００１０】
２つの光学的構成エレメントの位置の調節も共に達成するために、さらに調節装置は、長手軸を中心に回転可能な第２の調節リングを有し、この第２の調節リングは支持部材に運動変換接続部を介して接続されており、この運動変換接続部は、支持部材に対する第２の調節リングの回転を軸方向のスライドに変換する。ここでは付加的に第２の光学的構成エレメントのホルダは、スプリングによって第２の調節リングに対して保持することができ、支持部材に対して軸方向に調節可能である。これにより、蛍光体を基準にして相対位置を典型的なやり方で付加的に調節することができる。このことは上記の利点に、とりわけ光像の迅速、簡単かつ正確な集束、並びに後から調節可能な変換器モジュールにおける光学コンポーネントの取り付けに寄与する。
【００１１】
第２の調節リングにおける調節のための簡単かつ有利な構成でも、例えば第２の調節リングがネジ、好ましくは内ネジを有し、このネジが取付部材の相手方ネジと共同作用し、第２の調節リングはさらに、好ましくはリング状の端面として構成されたストッパ面を有し、このストッパ面に対して第２の光学的構成エレメントのホルダが軸方向に支承されている。
【００１２】
本発明の有利な一発展形態では支持部材は、これが第１の調節リングをスリーブ状に取り囲み、少なくとも１つの窓を有し、この窓を通して調節リングに外部からアクセスできるように構成することができる。これにより簡単な構造が得られ、第１の調節リングに加えてスリーブ状の支持部材によって保護される。
【００１３】
本発明の有利な一形態では、第２の光学的構成エレメントのホルダと取付部材との関係に関して、これら２つのコンポーネント（すなわちホルダと取付部材）を一体的に構成することができる。その代わりに、第２の光学的構成エレメントのホルダが取付部材に回転連結部によって接続されていることも可能であり、この回転連結部は、長手軸に沿ったこのホルダと取付部材との間の少なくとも相対運動を阻止する。
【００１４】
さらに光学コンポーネントを外部からの影響からより良く保護するために、第２の光学的構成エレメントのホルダおよび／または取付部材が、２つの光学的構成エレメントの間の光伝搬の空間をスリーブ状に取り囲むと有利であり得る。
【００１５】
本発明は、レーザ光源を備える照明装置に対して、例えばレーザ前照灯において特に適する。この種のレーザベースの照明装置は付加的に：
・レーザ励起光を形成するための少なくとも１つのレーザ光源と、
・少なくとも１つのレーザ光源により形成されたレーザ励起光を少なくとも１つの面光源に指向するように構成された少なくとも１つの光線偏向装置と、を含むことができ、
前記少なくとも１つの面光源は変換エレメントとして構成されており、該変換エレメントは、レーザ励起光による照射の際に光の方向に、好ましくは可視波長領域で発光し、この光は照明装置の前記光学的アセンブリにより結像される。
【００１６】
前記本発明による解決策は、ここに記載した形式の１つまたは複数の照明装置を備える自動車前照灯に対して特に適する。特に光分布が高解像度の場合、走行路に投影される光に対して集束特性の調節が必要である。しかし不可避の取り付け偏差および公差があるため、集束の高精度の規定は事後にだけ可能であり、したがって事後に調節できることが必要である。
【００１７】
本発明をさらなる詳細および利点も含めて、本発明の例示的かつ非制限的であり、添付図面に示された実施形態に基づき、以下に詳細に説明する。
【図面の簡単な説明】
【００１８】
【図１】図１  一レーザ前照灯における光線路の概略図である。
【図２】図２  実施例の集束アセンブリの斜視図である。
【図３】図３  図２の集束アセンブリの縦断面図である。
【図４】図４  図３の切断面４−４に沿った集束アセンブリの断面図である。
【図５】図５  図３の切断面５−５に沿った集束アセンブリの断面図である。
【実施例】
【００１９】
以下に示す実施例は、自動車用の一レーザ前照灯に関するものである。そこでは光学的構成エレメントがレンズとして実現されている。しかし本発明の他の実施形態において個々のまたは全ての光学的構成エレメントは、同じように反射器として、例えば凹面鏡または凸面鏡として構成することができる。
【００２０】
図１には、一前照灯に属する一照明装置における光線路の概略が示されている。レーザ光源Ｄは、レーザ光線Ｂ１を例えば青色または紫外線スペクトル領域で放射する。レーザ光線Ｂ１は旋回可能なミラーＭによって励起光として蛍光体Ｋに指向される。ミラーＭは光線偏向装置として用いられ、好ましくは２つの軸を中心に旋回可能である。蛍光体Ｋは、公知の形式にしたがい入射するレーザ光に基づいて、ルミネセンス変換（Lumineszenzkonversion）によって可視光Ｂ２、好ましくは白色光を送出する。ミラーＭが高速に運動することにより、レーザ光線Ｂ１により形成された光点は平面状の変換エレメント上で「移動し」、これにより光像を形成する。この光像は、図１に象徴的にだけ示した光学的アセンブリＥにより走行路上に投影される。この光学的アセンブリは、例えば２つ以上のレンズを備える結像光学系とすることができる。かくてミラーＭによって所望の光像が蛍光体Ｋ上に描かれ、この光像は光学的アセンブリＥにより走行路上に結像され、そこに光分布Ｎを形成する。言葉「描かれ」によって、とりわけスキャナ的な過程が意味される。この過程では、レーザ光線Ｂ１がミラーＭを介して高速に例えばラインごとに、または正弦波状に、リサジュー図形として偏向され、これにより肉眼に対しては一体的に輝く平面の印象が生じ、これを光像として結像光学系を介して道路上に投影することができる。図１には蛍光体で反射される光線路が示されている。ここではレーザ光Ｂ１と蛍光体の同じ側で伝搬する従来の光Ｂ２により作動される。しかし光線路は透過性にすることもできる。すなわち使用される光Ｂ２と所属の光学系Ｅは、蛍光体を基準にして入射するレーザ光線Ｂ１に対向する側に存在することができる。
【００２１】
図２と３には、蛍光体において透過性の光線路を備える照明装置Ａが示されており、その光学的アセンブリには本発明による調節装置Ｃが装備されている。この調節装置Ｃにより光学的アセンブリのレンズＬ１，Ｌ２は互いに、そして変換エレメント（蛍光体）Ｋを基準にして位置調節することができる。これにより変換エレメントの上で、最終的には道路上での所望の光分布Ｎに光像を非常に鮮明に結像することができる。
【００２２】
第１のレンズＬ１は、ホルダ（レンズホルダ）Ｈ１内に保持されている。ホルダＨ１は、調節リングＧ１のストッパ面Ｆ１、例えば内側端面に当接し、他方の側からスプリングＩ１によって押圧される。このスプリングは、第１のレンズＬ１の構成群全体（調節リングＧ１，ホルダＨ１およびスプリングＩ１）を支持する取付部材Ｊ１に対して支持されている。スプリングＩ１は、例えば２つのゴムスプリングによって実現することができ、これらのゴムスプリングは長手軸ｘを基準にして互いに対向している。スプリングＩ１の弾力によってホルダは端面Ｆ１に対して保持され、取付部材Ｊ１に対して遊びなしで規定どおりの位置に存在する。
【００２３】
調節リングＧ１は、ねじ接続部を介して取付部材Ｊ１と接続されており、ここでは例として調節リングＧ１の内ネジを介して取付部材Ｊ１の外ネジと接続されている。したがって取付部材Ｊ１は、レンズＬ１とレンズの所属の調節装置を支持する。運動変換接続部によって調節リングＧ１は、長手軸ｘを中心に取付部材Ｊ１に対して調節リングの軸方向に、すなわちその中に支承されたレンズホルダとレンズＬ１の軸方向にスライドするよう回転される。ホルダＨ１（図５）の形状付与により、すなわち長手方向で見て直線状の、ホルダの回転に対抗作用する平面により回転確保部が得られる。これによりレンズＬ１は共に回転せず、長手方向ｘにだけ移動（スライド）する。
【００２４】
取付部材Ｊ１は、図示の実施例では第２のレンズＬ２のホルダＨ２と剛性に結合されており、好ましくはこれと一体的である。一変形例では、取付部材の軸方向に確定された位置をホルダＨ２に対して規定し、しかし長手軸を中心にする回転は許容する接続で十分である。
【００２５】
かくて調節リングＧ１の回転によるこの調節リングＧ１の調節運動は２つのレンズＬ１，Ｌ２の相互の間隔を変化させ、これにより２つのレンズの相対位置の精確な調節が達成される。
【００２６】
第２のレンズＬ２をそのホルダ（レンズホルダ）Ｈ２内で調節し、かつ第１のレンズＬ１の構成群を調節するために、第２の調節リングＧ２が設けられている。ホルダＨ２は例えば半径方向に突き出たリング枠を有し、このリング枠は調節リングＧ２のストッパ面Ｆ２、例えば内側端面と共同作用する。このストッパ面Ｆ２に対してホルダはスプリングＩ２によって、この端面に対して押圧される。スプリングＩ２は支持部材Ｊ２の端面において支持されている。支持部材Ｊ２はスリーブ状のアダプタとして構成されており、このアダプタは、第２のレンズＬ２の全構成群（調節リングＧ２、ホルダＨ２およびスプリングＩ２）と、これに保持される第１のレンズの構成群を支持する。スプリングＩ２も、例えば２つのゴムスプリングにより実現することができ、これらのゴムスプリングは長手軸ｘを基準にして互いに対向している。
【００２７】
スプリングＩ２の弾力によってホルダＨ２は端面Ｆ２に対して保持され、アダプタＪ２に対して遊びなしで規定どおりの位置に存在する。このアダプタは照明装置ＡのケーシングＱに取り付けられており、そこで蛍光体Ｋの存在する領域を取り囲む。
【００２８】
調節リングＧ２は、ねじ接続部を介してアダプタＪ２と接続されており、例えば調節リングＧ２の内ネジを介してアダプタＪ２の外ネジと接続されている。運動変換接続部によって調節リングＧ２の回転は、長手軸ｘを中心にしてアダプタＪ２に対して調節リングの軸方向のスライドに変換され、したがってこれに支承されたホルダＨ２およびレンズＬ２も含めてスライドされる。ここでもホルダＨ２（図４参照）は回転確保のために成形されており、すなわち長手方向で見て例えば直線状の平面により成形されている。したがって第２のレンズＬ２と第１のレンズＬ１の構成群は共に回転せず、長手方向ｘにだけ移動する。
【００２９】
かくて調節リングＧ２の回転によるこの調節リングの調節運動は、蛍光体Ｋに対する光学的アセンブリＥの間隔を変化させる。したがって調節リングＧ１の調節運動との組み合わせにおいて、蛍光体Ｋに対する２つのレンズの位置の精確な調節が可能である。そのためにアダプタＪ２には少なくとも１つの窓Ｏが設けられており（図２）、この窓を通して調節リングＧ１にアクセスできる。
【００３０】
図示の実施形態は、２つの調節リングＧ１，Ｇ２を手作業で調節するために設計されている。光学的アセンブリＥを集束のために調節した後、調節リングＧ１，Ｇ２を調節位置に、例えば固定ネジ（図示せず）により固定することができる。これらの固定ネジは、そのために設けられた半径方向のネジ孔部Ｐ１，Ｐ２に装着される。手作業の操作の代わりに、１つまたは２つの調節リングが、制御される調節装置により調節されるようにすることもできる。
【００３１】
本発明により、完成して取り付けられたレーザモジュールにおいて光分布を迅速、簡単かつ正確に調節（集束）することができる。これにより照明装置を調節するための手段および所属の検査装置をより簡単に構成することができる。さらなる利点は、本発明が光学的構成エレメントに、数ミリメートルの、例えば±１．５ｍｍのオーダの大きな調節範囲を付与することにより得られる。ホルダをスプリングまたは類似の弾性コンポーネントによって予付勢することにより、永続的な固定も含めて安定した規定どおりの位置が得られる。
【符号の説明】
【００３２】
Ｄ  レーザ光源
Ｂ１  レーザ光線（レーザ励起光）
Ｂ２  可視光
Ｍ  ミラー
Ｋ  蛍光体
Ｅ  光学的アセンブリ
Ｎ  光分布
Ａ  照明装置
Ｃ  調節装置
Ｑ  ケーシング
Ｌ１，Ｌ２  レンズ
Ｈ１，Ｈ２  ホルダ
Ｇ１，Ｇ２  調節リング
Ｆ１，Ｆ２  ストッパ面（端面）
Ｊ１  取付部材
Ｊ２  支持部材（アダプタ）
Ｉ１，Ｉ２  スプリング
Ｐ１．Ｐ２  ネジ孔部
【図１】
0006476322.tif 000002
【図２】
0006476322.tif 000003
【図３】
0006476322.tif 000004
【図４】
0006476322.tif 000005
【図５】
0006476322.tif 000006